(57)【要約】      （修正有）【課題】故人や死んだペットの遺影と遺骨の一部を一緒に祭ることにより故人や死んだペットを自宅に居ても墓参と同様に供養できる開閉型手元供養具を提供する。【解決手段】開閉型手元供養具１０は、表紙カバー体１２と、表紙カバー体の内側に配設される遺影飾り台体１４及び遺骨飾り台体１６と、を備える。表紙カバー体の表表紙カバープレート２０の内側面２０Ａに遺影飾り台体が接着される。遺影飾り台体には遺影収容凹部３０が形成され、遺影収容凹部には遺影が収容される。表紙カバー体の裏表紙カバープレート２２の内側面２２Ａには遺骨飾り台体が接着され、遺骨飾り台体には遺骨収容凹部３４が形成される。遺骨収容凹部には遺骨の一部が納められた遺骨収容小袋が収容される。【選択図】図１
0003221057.tif 000002
【実用新案登録請求の範囲】
【請求項１】
表表紙カバープレートと裏表紙カバープレートを設けると共に開閉可能な表紙カバー体と、この表紙カバー体の内側に配設された遺影飾り台体と、前記表紙カバー体の内側に配設された遺骨飾り台体と、前記遺影飾り台体に形成された遺影収容凹部と、前記遺骨飾り台体に形成された遺骨収容凹部と、を有してなることを特徴とする開閉型手元供養具。
【請求項２】
表表紙カバープレートと裏表紙カバープレートと背表紙カバープレートを設けると共に背表紙カバープレートを中心に開閉可能な表紙カバー体と、この表紙カバー体の内側に配設されると共に背面が前記表表紙カバープレートの内側面と固定された遺影飾り台体と、前記表紙カバー体の内側に配設されると共に背面が前記裏表紙カバープレートの内側面と固定された遺骨飾り台体と、前記遺影飾り台体の正面に形成された遺影収容凹部と、前記遺骨飾り台体の正面に形成された遺骨収容凹部と、を有してなることを特徴とする開閉型手元供養具。
【請求項３】
前記遺影飾り台体と前記遺骨飾り台体を直方体形状に形成すると共に前記遺影飾り台体の厚み寸法より前記遺骨飾り台体の厚み寸法を大きく設定したことを特徴とする請求項１、請求項２のいずれか１項記載の開閉型手元供養具。
【請求項４】
前記遺影収容凹部に着脱可能に取り付けられた遺影カバープレートと、前記遺骨収容凹部に着脱可能に取り付けられた遺骨カバープレートと、を設けたことを特徴とする請求項１、請求項２、請求項３のいずれか１項記載の開閉型手元供養具。
【考案の詳細な説明】
【技術分野】
【０００１】
本考案は、故人や死んだペットの遺影と遺骨を一緒に飾って祭ることにより故人や死んだペットを家庭に居ても墓参と同様に供養することができる開閉型手元供養具に関する。
【背景技術】
【０００２】
人が亡くなったりペットが死んだ場合、死体を火葬して遺骨は墓地に埋葬される。
しかし、首都圏等の大都市圏においては自宅から近くの墓地の価格は高額であるため経済的金銭的な理由により自宅から離れた場所にある墓地を購入する人が多い。
このため、故人や死んだペットの墓参に頻繁に行くことができない場合が多く、供養をする人が高齢化するとその傾向が強くなるのが現状である。
また、一般に人が亡くなったりペットが死んだりすると自宅に仏壇を備えて故人や死んだペットを供養しているが、マンションやアパートでは部屋の間取りや部屋のスペースの関係から仏壇を備え難いという場合も多い。
さらに、家族の核家族化や就職等の関係に伴い、家族が別々に住んでいる場合に、別々に住んでいる者がそれぞれ故人や死んだペットを供養したいと考える場合がある。
そこで、容易に故人等の供養ができるように供養用アルバムが提案されている（例えば、特許文献１）。
【先行技術文献】
【特許文献】
【０００３】
【特許文献１】実用新案登録第３１８３８８９号公報
【考案の概要】
【考案が解決しようとする課題】
【０００４】
しかし、前記供養用アルバムは故人等の遺影を飾ることはできるが故人等の遺骨の一部を収容する機能は有していない。
このため、故人等を偲ぶことはできるが墓に行って供養をするような雰囲気、気持ちで供養することが難しい。
【０００５】
本考案は、上記事実に鑑みなされたものであり、故人や死んだペットの遺影と遺骨の一部を一緒に飾って祭ることにより、故人や死んだペットを自宅に居ても墓に行って供養するのと同じ雰囲気、気持ちで供養することができる開閉型手元供養具を提供するものである。
【課題を解決するための手段】
【０００６】
請求項１の考案は、表表紙カバープレートと裏表紙カバープレートを設けると共に開閉可能な表紙カバー体と、この表紙カバー体の内側に配設された遺影飾り台体と、前記表紙カバー体の内側に配設された遺骨飾り台体と、前記遺影飾り台体に形成された遺影収容凹部と、前記遺骨飾り台体に形成された遺骨収容凹部と、を有してなることを特徴としている。
請求項２の考案は、表表紙カバープレートと裏表紙カバープレートと背表紙カバープレートを設けると共に背表紙カバープレートを中心に開閉可能な表紙カバー体と、この表紙カバー体の内側に配設されると共に背面が前記表表紙カバープレートの内側面と固定された遺影飾り台体と、前記表紙カバー体の内側に配設されると共に背面が前記裏表紙カバープレートの内側面と固定された遺骨飾り台体と、前記遺影飾り台体の正面に形成された遺影収容凹部と、前記遺骨飾り台体の正面に形成された遺骨収容凹部と、を有してなることを特徴としている。
請求項３の考案は、前記遺影飾り台体と前記遺骨飾り台体を直方体形状に形成すると共に前記遺影飾り台体の厚み寸法より前記遺骨飾り台体の厚み寸法を大きく設定したことを特徴としている。
請求項４の考案は、前記遺影収容凹部に着脱可能に取り付けられた遺影カバープレートと、前記遺骨収容凹部に着脱可能に取り付けられた遺骨カバープレートと、を設けたことを特徴としている。
【考案の効果】
【０００７】
本考案は、遺影と遺骨が一緒に祭られているので自宅に居ながら墓に行って供養をするのと同様な雰囲気、気持ちで故人や死んだペットを供養することができるという優れた効果を有する。
本考案は、開閉型であるので供養する時は表紙カバー体を開くことにより遺影と遺骨が向かい合うように現れた状態で供養することができるという優れた効果を有する。
本考案は、開閉型であるので供養しない時は閉じておくことができると共に閉じることによりコンパクトにできるので保管スペースが小さくて済み保管が容易であるという優れた効果を有する。
本考案は、開閉型であるので閉じることによりコンパクトにでき携帯に便利であるという優れた効果を有する。
【図面の簡単な説明】
【０００８】
【図１】第１実施例の開閉型手元供養具を開いた状態の全体斜視図である。
【図２】第１実施例の開閉型手元供養具を閉じた状態の全体斜視図である。
【図３】第１実施例の開閉型手元供養具の横断面図である。
【図４】第１実施例の開閉型手元供養具の使用状態を示す全体斜視図である。
【図５】第２実施例の開閉型手元供養具を開いた状態の全体斜視図である。
【考案を実施するための形態】
【０００９】
考案を実施するために最良の形態の例として以下のような実施例を示す。
【実施例１】
【００１０】
図１〜図４には本考案に係る開閉型手元供養具の第１実施例が示されている。なお、この実施例では死んだペットの犬を供養する場合を一例にして本考案の開閉型手元供養具を説明する。
【００１１】
図１に示されるように、実施例の開閉型手元供養具１０は、表紙カバー体１２と、この表紙カバー体１２の内側に配設される遺影飾り台体１４と、前記表紙カバー体１２の内側に遺影飾り台体１４と共に配設される遺骨飾り台体１６と、を備えている。
【００１２】
前記表紙カバー体１２は、適宜素材で形成されたプレート体に布地をカバーして形成されている。
【００１３】
前記遺影飾り台体１４と前記遺骨飾り台体１６は直方体形状に形成されている。なお、前記遺影飾り台体１４の厚み寸法Ｎ１より前記遺骨飾り台体１６の厚み寸法Ｎ２の方が大きく設定されている。
【００１４】
前記遺影飾り台体１４の一端面１４Ａと前記遺骨飾り台体１６の一端面１６Ａは布地で形成された接続シート１８と接着されている。これにより、前記遺影飾り台体１４と前記遺骨飾り台体１６は接続シート１８を中心に開閉できるが遺影飾り台体１４と遺骨飾り台体１６は分離しないようになっている。
【００１５】
前記表紙カバー体１２は、表表紙カバープレート２０と裏表紙カバープレート２２と、表表紙カバープレート２０と裏表紙カバープレート２２の間に位置する背表紙カバープレート２４を連続形成することによりなっている。
【００１６】
前記表表紙カバープレート２０と前記背表紙カバープレート２４の間には第１折曲線部２６が形成され、前記裏表紙カバープレート２２と前記背表紙カバープレート２４の間には第２折曲線部２８が形成されている。
【００１７】
従って、  前記表紙カバー体１２は、前記表表紙カバープレート２０と前記裏表紙カバープレート２２を対向させることができる（図２参照）と共に前記背表紙カバープレート２４を介して前記表表紙カバープレート２０と前記裏表紙カバープレート２２を開閉することができるようになっている。
【００１８】
図１に示されるように、前記表表紙カバープレート２０の内側面２０Ａには前記遺影飾り台体１４の背面１４Ｂが接着され、前記表表紙カバープレート２０と前記遺影飾り台体１４は固定されている。この遺影飾り台体１４の正面１４Ｃには正面視矩形状の遺影収容凹部３０が形成されている。
【００１９】
図４に示されるように、この遺影収容凹部３０には死んだペットの犬の遺影１が収容されている。
また、遺影収容凹部３０には遺影をカバーする矩形状の遺影カバープレート３２が着脱可能に嵌入されている。なお、この遺影カバープレート３２は透明な合成樹脂材を矩形板状にして形成している。
【００２０】
図１に示されるように、前記裏表紙カバープレート２２の内側面２２Ａには前記遺骨飾り台体１６の背面１６Ｂが接着され、前記裏表紙カバープレート２２と前記遺骨飾り台体１６は固定されている。この遺骨飾り台体１６の正面１６Ｃには正面視矩形状の遺骨収容凹部３４が形成されている。
【００２１】
図４に示されるように、この遺骨収容凹部３４には死んだペットの犬の遺骨の一部（図示せず）が納められた遺骨収容小袋２が収容されている。
【００２２】
図３に示されるように、前記遺骨収容凹部３４の四辺にはプレート嵌入段部３４Ａが形成されている。
【００２３】
図１に示されるように、前記プレート嵌入段部３４Ａには遺骨をカバーする矩形状の遺骨カバープレート３６が着脱可能に嵌入されている。なお、この遺骨カバープレート３６は前記遺影カバープレート３２と同様に透明な合成樹脂材を矩形板状にして形成している。
【００２４】
なお、この実施例では前記遺影飾り台体１４と前記遺骨飾り台体１６は直方形状のコルク材を矩形状にカットして形成されている。
前記遺影飾り台体１４と前記遺骨飾り台体１６をコルク材で形成したことにより、開閉型手元供養具１０の重量を軽くすることができる。
また、前記遺骨飾り台体１６の厚み寸法Ｎ２を前記遺影飾り台体１４の厚み寸法Ｎ１より大きく設定したことにより、前記遺骨飾り台体１６に遺骨収容凹部３４を形成し易くしている。
【００２５】
次に、第１実施例の開閉型手元供養具１０の作用を説明する。
【００２６】
開閉型手元供養具１０に遺影１を飾る場合は、遺影カバープレート３２を遺影収容凹部３０から取り外して遺影収容凹部３０に遺影１を収容し、遺影収容凹部３０に遺影カバープレート３２を嵌入する。
【００２７】
この遺影収容凹部３０に遺影カバープレート３２を嵌入することにより、不用意に遺影収容凹部３０から遺影１が脱落するのを防止することができる。
【００２８】
開閉型手元供養具１０に遺骨を飾る場合は、遺骨カバープレート３６を遺骨収容凹部３４から取り外して遺骨の一部が納められた遺骨収容小袋２を遺骨収容凹部３４に収容し、遺骨収容凹部３４に遺骨カバープレート３６を嵌入する。
【００２９】
この遺骨収容凹部３４に遺骨カバープレート３６を嵌入することにより、不用意に遺骨収容凹部３４から遺骨が納められた遺骨収容小袋２が脱落するのを防止することができる。
【００３０】
遺影１と遺骨を飾った開閉型手元供養具１０を使用して死んだペットの犬を供養する場合は、表表紙カバープレート２０と裏表紙カバープレート２２が離間するように表紙カバー体１２を開く。
【００３１】
これにより、図４に示されるように遺影１と遺骨が収容された遺骨収容小袋２が互いに向かい合って現れた状態にできるので、供養する者は遺影１と遺骨収容小袋２を同時に見ながらペットの犬の供養ができる。
【００３２】
この結果、供養をする者は、自宅に居ながらペットの犬が埋葬されている墓に行って供養をするのと同じような雰囲気、気持ちで供養をすることができる。
【００３３】
また、家族が別々に住んでいても本考案の開閉型手元供養具１０を各自がそれぞれ持っていれば家族が別々の場所で各自毎にペットの供養をすることができる。
【００３４】
なお、供養しない時は表表紙カバープレート２０と裏表紙カバープレート２２を閉じておく。これにより、図２に示されるように、前記開閉型手元供養具１０をコンパクトにすることができる。
【００３５】
従って、開閉型手元供養具１０はコンパクトにすることができるので、開閉型手元供養具１０の保管場所は小さいスペースで済むので部屋の間取りや部屋の大きさに関係なく保管することができる。しかも、開閉型手元供養具１０は仏壇等に比べて安価に提供でき経済的である。
【００３６】
また、前記開閉型手元供養具１０はコンパクトにすることができるので携帯する場合も携帯し易く便利である。また、実施例の開閉型手元供養具１０の遺影飾り台体１４と遺骨飾り台体１６はコルク材で形成したので開閉型手元供養品１０の重量が軽く携帯に便利である。
【００３７】
なお、図４に示されるように、表紙カバー体１２を開いた状態にした開閉型手元供養具１０を机やテーブル等の上に置いて仏壇の代わりに使用してもよい。
【００３８】
図５には第２実施例の開閉型手元供養具の第２実施例が示されている。なお、第１実施例の開閉型手元供養具１０と同一の構成は開閉型手元供養具１０と同一の符号を用いてその説明を省略する。
【００３９】
図５に示されるように、第２実施例の開閉型手元供養具４０の遺影飾り台体１４の一端面１４Ａと遺骨飾り台体１６の一端面１６Ａが接着された接続シート１８の一側部は表表紙カバープレート２０と接続され、続シート１８の他側部は裏表紙カバープレート２２と接続されている。
【００４０】
また、図５に示されるように、第２実施例の開閉型手元供養具４０の表表紙カバープレート２０の内側面２０Ａは前記遺影飾り台体１４の背面１４Ｂと接着されていない。
【００４１】
また、裏表紙カバープレート２２の内側面２２Ａは遺骨飾り台体１６の背面１６Ｂと接着されていない。
【００４２】
従って、開閉型手元供養具４０においては表表紙カバープレート２０と遺影飾り台体１４、裏表紙カバープレート２２と遺骨飾り台体１６、をそれぞれ別に開くことができる。
【００４３】
なお、第２実施例の開閉型手元供養具４０の他の構成及び作用は第１実施例の開閉型手元供養具１０と同一の構成、作用であるのでその説明は省略する。
【００４４】
なお、実施例では遺影カバープレート３２は遺影収容凹部３０に嵌入することにより遺影カバープレート３２を遺影飾り台体１４に取り付け、遺骨カバープレート３６は遺骨収容凹部３４のプレート嵌入段部３４Ａに嵌入することにより遺骨カバープレート３６を遺骨飾り台体１６に取り付けたが、遺影カバープレート３２と遺骨カバープレート３６の取付手段は実施例に限定されるものでなく、例えば透明な接着テープ等で遺影カバープレート３２を遺影飾り台体１４に、遺骨カバープレート３６を遺骨飾り台体１６に取り付ける等他の手段で遺影カバープレート３２、遺骨カバープレー３６を取り付けるようにしてもよいことは勿論である。
【００４５】
また、実施例の開閉型手元供養具１０の遺影飾り台体１４と遺骨飾り台体１６はコルク材で形成したが、遺影飾り台体１４と遺骨飾り台体１６はコルク材以外で形成してもよいことは勿論であるが、軽量な材料で形成することがより好ましい。
【００４６】
なお、実施例では遺骨の一部を遺骨収容小袋２に収容してから遺骨収容凹部３４に収容したが、遺骨の一部は他の容器に収容して遺骨収容凹部３４に収容したり、あるいは直接、遺骨収容凹部３４に収容してもよい。
【００４７】
また、実施例では遺影カバープレート３２と遺骨カバープレート３６を透明な合成樹脂材で形成したが、遺影カバープレート３２と遺骨カバープレート３６の材料は合成樹脂材に限定されるものでなく、また、透明でなくてもよいことは勿論である。
【００４８】
なお、実施例では死んだペットの犬を供養する場合を例にして説明したが、供養するのはペットに限定されるものでなく、人間を供養する場合でもよいことは勿論である。
【符号の説明】
【００４９】
１０    開閉型手元供養具
１２    表紙カバー体
１４    遺影飾り台体
１４Ａ  一端面
１４Ｃ  正面
１６    遺骨飾り台体
１６Ａ  一端面
１６Ｃ  正面
１８    接続シート
２０    表表紙カバープレート
２２    裏表紙カバープレート
２４    背表紙カバープレート
２６    第１折曲部
２８    第２折曲部
３０    遺影収容凹部
３２    遺影カバープレート
３４    遺骨収容凹部
３４Ａ  プレート嵌入段部
３６    遺骨カバープレート
【図１】
0003221057.tif 000003
【図２】
0003221057.tif 000004
【図３】
0003221057.tif 000005
【図４】
0003221057.tif 000006
【図５】
0003221057.tif 000007